(57)【要約】【課題】光学機器の振動やぶれを防ぎ、かつ締結を緩めた際の急な滑りを防ぐ。【解決手段】この雲台は、カメラＣが取り付けられるカメラ取付部１０と、このカメラ取付部１０に対してカメラＣの底面を固定するための締結ネジ２４とを有し、カメラ取付部１０には、硬質な剛性部１４および軟質な摩擦部１２とが設けられ、カメラＣが取り付けられた際に、剛性部１４および摩擦部１２がともにカメラ底面に当接する。【選択図】        図２
2005018005.tif 000002
【特許請求の範囲】
【請求項１】
光学機器が取り付けられる光学機器取付部と、この光学機器取付部に対して光学機器の被取付面を固定するための締結機構とを有し、前記光学機器取付部には、硬質な剛性部および前記剛性部よりも軟質な摩擦部とが設けられ、光学機器が前記光学機器取付部に取り付けられた際に、前記剛性部および前記摩擦部がともに前記被取付面に当接することを特徴とする光学機器の取付装置。
【請求項２】
光学機器を取り付けていない状態で、前記剛性部の表面は前記摩擦部の表面よりも後退した位置にあり、光学機器を取り付けた状態では、前記摩擦部の表面は後退して前記剛性部の表面と同一平面上に位置することを特徴とする請求項１記載の光学機器の取付装置。
【請求項３】
支持台へ取り付けられる被取付面を有する光学機器であって、前記被取付面には、硬質な剛性部および前記剛性部よりも軟質な摩擦部とが設けられ、光学機器が支持台に取り付けられた際に、前記剛性部および前記摩擦部がともに支持台へ当接することを特徴とする光学機器。
【発明の詳細な説明】
【０００１】
【発明の属する技術分野】
本発明は、光学機器の取付装置および光学機器に関する。
【０００２】
【従来の技術】
カメラ、レンズ、望遠鏡、および双眼鏡等の光学機器を三脚に固定する場合、三脚の上部に設けられている雲台に、ネジ等の締結機構を介して光学機器を固定する。雲台の取付面には、通常、ゴムやコルクなどの柔らかい材質からなる滑り止め（クッション）が設けられており、この滑り止めに光学機器の被取付面を当接させることにより、光学機器の傷付きを防ぐとともに、ネジを緩めた際の光学機器の急激な滑りを防いでいる。滑り止めを設けないと、ネジを緩めた際に、光学機器の自重で光学機器が雲台上で急に滑って回転し、破損等を生じるおそれがある。
【０００３】
【特許文献１】特開平１０−２８８８１１号公報
【０００４】
【発明が解決しようとする課題】
ところで、雲台に固定された光学機器に風や撮影者の手から力が加えられたり、あるいはカメラ内部のシャッター機構が動作する際には、光学機器に振動が発生する。この振動は、雲台および三脚により抑制されるべきであるが、従来の構造では、雲台と光学機器の間に柔らかい滑り止めが存在しているため、雲台と光学機器とを高い剛性を以て一体化することができず、振動が十分に抑制できずに光学機器が僅かに揺れてしまう問題があった。重量が大きく、焦点距離が長いいわゆる望遠レンズを使用した場合、この問題は顕著になり、撮影品質に悪影響を与えるおそれもある。
【０００５】
【課題を解決するための手段】
本発明に係る光学機器の取付装置は、光学機器が取り付けられる光学機器取付部と、この光学機器取付部に対して光学機器の被取付面を固定するための締結機構とを有し、前記光学機器取付部には、硬質な剛性部および前記剛性部よりも軟質な摩擦部とが設けられ、光学機器が前記光学機器取付部に取り付けられた際に、前記剛性部および前記摩擦部がともに前記被取付面に当接する。
【０００６】
本発明の光学機器は、支持台へ取り付けられる被取付面を有する光学機器であって、前記被取付面には、硬質な剛性部および前記剛性部よりも軟質な摩擦部とが設けられ、光学機器が支持台に取り付けられた際に、前記剛性部および前記摩擦部がともに支持台へ当接する。
【０００７】
【発明の実施の形態】
以下、図面を参照しつつ本発明の実施形態を説明する。
［第１実施形態］
図１および図２は本発明の第１実施形態に係る光学機器の取付装置として雲台を示している。この雲台は、例えば三脚の上端に取り付けられ、例えばカメラ、望遠鏡、双眼鏡、測定器具等の光学機器を任意の向きで保持する役目を果たす。ただし、本発明の雲台はこのような用途に限定されることはなく、いかなる用途に使用されてもよい。
【０００８】
この雲台は、円柱状の基台１を有し、この基台１の下端には基台１と同径で円盤状の三脚固定部２が取り付けられている。三脚固定部２の下面中央には、垂直に雌ネジ穴３が形成され、この雌ネジ穴３が三脚本体等の雄ネジ（図示略）に固定される。三脚本体に雲台を取り付けたものを通常は三脚と称する。
【０００９】
基台１の外周面には、径方向に向けて雄ネジ４が取り付けられ、この雄ネジ４を緩めることにより三脚固定部２に対して基台１が回転可能となる。雄ネジ４の反対側において、基台１の外周面にはＬ型の支持部６が固定され、支持部６の上端両側には一対の支柱６Ａが形成されている。支柱６Ａの間には、矩形状をなすカメラ取付台１０（光学機器取付部）の一端部１０Ａが挟まれ、これらが雄ネジ８で固定されている。雄ネジ８はつまみ８Ａを有し、このつまみ８Ａを回して雄ネジ８を緩めるとカメラ取付台１０は水平状態から直立状態まで回動自在になる。
【００１０】
カメラ取付台１０の上面には、カメラ取付台１０よりも一回り小さい摩擦部１２が固定されている。摩擦部１２は、比較的に柔らかく、カメラ底面に対して摩擦係数の大きい材質からなる。この材質としては、ゴム、コルク、プラスチック、プラスチックフォーム、スポンジ、なめし革、エラストマー、コルクラバーなどが例示できるがこれらに限定されることはない。この例の摩擦部１２は均一な厚さを有するが、本発明は均一な厚さに限定されることはない。摩擦部１２の表面にはカメラ底面に対する摩擦係数を高めるために粗面加工や凹凸加工がされていてもよいし、その表面に、摩擦係数のより高いゴム、エラストマーなどを薄い層状に形成してもよい。
【００１１】
摩擦部１２には、中央部に円形の孔２８が形成され、カメラ取付台１０にもそれと同心に、孔２８より小さい径の貫通孔２０が形成されている。カメラ取付ネジ２２が貫通孔２０を通して配置され、カメラ取付ネジ２２の上端には雄ネジ部２４が形成されている。この雄ネジ部２４がカメラ底面の雌ねじ穴（図示略）に締め込まれ、カメラＣがカメラ取付台１０へ固定される。雄ネジ部２４の直下には貫通孔２０よりも大径の止めワッシャ２６がはめ込まれ、この止めワッシャ２６が孔２８の中でカメラ取付台１０の上面に当たり、カメラ取付ネジ２２が下方へ抜けない。カメラ取付ネジ２２の下端には円盤状のつまみ１６が形成され、つまみ１６の上にはワッシャ１８が通されている。
【００１２】
摩擦部１２には、孔２８の両側に矩形状の穴が形成され、これら穴内に穴と同一形状の剛性部１４が配置されている。剛性部１４は摩擦部１２よりも堅い剛性に富む材質からなる。この材質としては、例えば金属、セラミックス、硬質プラスチックなどが例示できるが、それらに限定されない。硬質プラスチックとしては、ＡＢＳ樹脂、アクリル樹脂、ポリアミド樹脂、ポリアセタール樹脂などが例示できるがこれらに限定されない。剛性部１４はカメラ取付台１０と一体的に形成されていてもよいし、剛性部１４はカメラ取付台１０の表面に接着等されていてもよい。
【００１３】
カメラ取付台１０の上面に穴を掘り、その中に直方体状の剛性部１４の下端部を埋め込み、接着剤等で固定してもよい。この場合、カメラ取付台１０の上面の穴の深さは、剛性部１４の下端部の位置よりも下方にあるようにしてもよい。剛性部１４の周面は摩擦部１２に対して接着されていてもよいし、接着されていなくてもよい。接着されていない方が摩擦部１２の伸縮を阻害しないが、接着されていると摩擦部１２と剛性部１４の間にゴミ等が入る不具合を防止できる。また、場合によっては、剛性部１４の下端部はカメラ取付台１０の上面に達していなくて、摩擦部１２の薄肉部を挟んでいてもよい。この場合にも同様の効果が得られる。
【００１４】
図３に示すように、カメラＣを取り付けていない状態において、摩擦部１２の厚さＴ１は、剛性部１４の厚さＴ２よりも僅かに大きくされ、Ｔ１＞Ｔ２である。また、図４に示すように、カメラＣをカメラ取付台１０上に取り付けてカメラ取付ネジ２２を締め付けた場合には、カメラＣの底面と当接している領域での摩擦部１２の厚さＴ１はカメラＣに圧縮されて、剛性部１４の厚さＴ２の厚さに等しくなる。
【００１５】
現実にはＴ１＝Ｔ２であっても、この実施形態のように大面積の摩擦部１２が小面積の剛性部１４を取り囲む状態となっている場合には、摩擦部１２の厚さムラなどにも起因して、カメラ取付時にカメラＣと摩擦部１２が先に当たるから、後述する効果はある程度得られる。
【００１６】
Ｔ１−Ｔ２の値は摩擦部１２の材質によって異なり一概にはいえないが、Ｔ２はＴ１の１００〜３０％であることが好ましく、より好ましくは９７〜８０％である。摩擦部１２の表面に凹凸構造を形成した場合には、摩擦部１２の厚さＴ１は、凸部までの高さと定義する。
【００１７】
この実施形態に限らず、剛性部１４の上面の周縁は、カメラＣの底面を傷つけにくいように面取りをされていることが好ましい。
【００１８】
上記構成からなる雲台によれば、摩擦部１２が剛性部１４を取り囲み、かつ剛性部１４よりも突出しているから、カメラ取付台１０上にカメラＣを載せた際に、カメラＣの底面は剛性部１４に当たらず摩擦部１２に当たり、摩擦部１２との間で大きな摩擦を生じる。このため、カメラＣがカメラ取付台１０上で滑ることがなく、カメラ取付ネジ２２による固定作業がやりやすい。位置決めでカメラＣをずらしても、カメラＣの底面に剛性部１４との摺動による傷がつくこともない。
【００１９】
カメラＣを固定しているカメラ取付ネジ２２を緩めた場合、カメラＣは剛性部１４から離れるが、弾力性に富む摩擦部１２との接触は保たれる。したがって、摩擦部１２との摩擦力は大きく保たれるので、カメラ取付ネジ２２を中心としてカメラＣが急激に回り、カメラまたはレンズを三脚や周囲にぶつけるおそれがない。
【００２０】
カメラ取付ネジ２２を十分に締め込んだ場合には、摩擦部１２が圧縮されてカメラＣの底面がカメラ取付ネジ２２の両側に配置された一対の剛性部１４に面接触し、これら剛性部１４によって堅く支持されるため、例えば望遠レンズを搭載している場合も、風や撮影者の動作、シャッター機構による力に抗してカメラＣを高い剛性を以て支持できる。したがって、シャッターぶれが生じにくい。
【００２１】
上記実施形態では剛性部１４の形状が矩形状であったが、本発明はこれに限定されず、例えば次のような変形をしてもよい。図５の例では、剛性部１４を雄ネジ部２４から放射状に４本配置している。
【００２２】
図６の例では、剛性部１４を雄ネジ部２４と同心の円環状に配置している。この場合、剛性部１４よりも外側に位置する摩擦部１２の外側領域１２Ａを、内側領域１２Ｂよりもさらに柔らかい材質から形成してもよい。こうすると、カメラＣの底面の面積が大きい場合にも、外側領域１２Ａの圧縮に要する力が小さくて済み、剛性部１４とカメラＣの底面との当接圧力を大きく確保できる利点がある。
【００２３】
図７は、摩擦部１２に小さな穴を多数形成し、穴のそれぞれの中に剛性部１４を形成したものである。この図では剛性部１４は円柱状をなしているが、四角形状など他の形状であっても実施可能である。
軟らかい材質からなる摩擦シート中に、硬い粒子を分散させてなる硬質粒子分散シートをカメラ取付台１０上に固定し、前記摩擦シートを摩擦部、硬質粒子を剛性部として使用してもよい。この場合、粒子の直径は０．３〜２．０ｍｍ程度が好適である。
【００２４】
図８の例では、矩形状の摩擦部１２の中に、ほぼ一定の幅を有する矩形枠状（矩形環状）の剛性部１４を形成している。この場合にも、図６の例と同様に、剛性部１４よりも外側に位置する摩擦部１２の外側領域１２Ａを、内側領域１２Ｂよりもさらに柔らかい材質から形成してもよい。こうすると、カメラＣの底面の面積が大きい場合にも、外側領域１２Ａの圧縮に要する力が小さくて済み、剛性部１４とカメラＣの底面との当接圧力を大きく確保できる利点がある。
【００２５】
図９の例では、カメラ取付台１０の形状が円盤状にされている。カメラ取付台１０の上面には、円盤状の摩擦部１２が形成され、その中に円環状の剛性部１４が形成されている。この場合にも、図６の例と同様に、剛性部１４よりも外側に位置する摩擦部１２の外側領域１２Ａを、内側領域１２Ｂよりもさらに柔らかい材質から形成してもよい。
【００２６】
図１０の例でも、カメラ取付台１０の形状が円盤状にされている。カメラ取付台１０の上面には、円盤状の摩擦部１２が形成され、その中に雄ネジ部２４から放射状に延びる３本（他の本数であってもよい）の細長い長方形状をなす剛性部１４が形成されている。
【００２７】
［第２実施形態］
図１１および図１２は第２実施形態を示す。この実施形態では、第１実施形態の構成に加えて、摩擦部１２の外周部全周にわたって下面から突出する厚肉部１２Ｃが形成され、摩擦部１２の中央部には相対的に薄い薄肉部１２Ｄとされている。厚肉部１２Ｃの上面は、中央の薄肉部１２Ｄの上面と面一でよい。厚肉部１２Ｃの幅はほぼ一定である。薄肉部１２Ｄの内側に、剛性部１４は配置されている。
【００２８】
カメラ取付台１０の上面には、厚肉部１２Ｃの下端部を収容する溝３０が矩形状に形成されている。この溝３０の深さは厚肉部１２Ｃの摩擦部１２下面からの突出量に一致しており、厚肉部１２Ｃの下端部が溝３０内にほぼ隙間無く収容され、溝３０の底面に当接した状態で、接着剤等により固定されている。また、薄肉部１２Ｄの下面はカメラ取付台１０の上面に接着剤等により固定されている。他の構成は第１実施形態と同様でよい。
【００２９】
図１３〜図１５は厚肉部１２Ｃを形成した効果を示す。図１３に示すように摩擦部１２の外周部に形成された厚肉部１２Ｃの厚さＴ３、薄肉部１２Ｄの厚さＴ１、剛性部１４の厚さＴ２とする。図１４に示すように、薄肉部１２Ｄよりも小さい底面を有するカメラＣを取り付ける場合、カメラＣの底面は薄肉部１２Ｄのみに当接することになり、当接した領域において薄肉部１２Ｄを厚さＴ２まで圧縮する。このときに要する圧力Ｐ１は（Ｔ１−Ｔ２）／Ｔ１に比例する。
【００３０】
一方、図１５に示すように、薄肉部１２Ｄよりも大きい底面を有するカメラＣを取り付ける場合、カメラＣの底面は厚肉部１２Ｃにも当接し、厚肉部１２Ｃを厚さＴ４まで圧縮する。厚肉部１２Ｃを圧縮するために要する圧力Ｐ２は（Ｔ３−Ｔ４）／Ｔ３に比例する。
【００３１】
ところで、（Ｔ１−Ｔ２）＝（Ｔ３−Ｔ４）であるから、厚肉部１２Ｃを圧縮するために要する圧力Ｐ２は、薄肉部１２Ｄを圧縮するために要する圧力Ｐ１のＴ１／Ｔ３倍となり、Ｐ１よりも小さい。したがって、厚肉部１２Ｃは薄肉部１２Ｄよりも容易に圧縮できることになるから、底面積の大きいカメラＣを取り付ける場合にも、取付後のカメラＣと剛性部１４との当接圧力をあまり低下させることが無く、振動抑制効果を十分に確保することができる。
【００３２】
また、摩擦部１２の外周下面に設けた厚肉部１２Ｃを溝３０に係合させたことにより、摩擦部１２の外周部がカメラ取付台１０からはがれるおそれを低減できる利点を有する。
なお、摩擦部１２の上面外周部に、全周にわたって、上方へ突出する凸部３２を形成してもよい。このような凸部３２を形成すると、摩擦部１２に多少のへたり（劣化により弾性が低下すること）が生じた場合にも、カメラＣの底面に摩擦部１２が当たりやすくなり、摩擦抵抗を確保しやすい。凸部３２は厚肉部１２Ｃがない実施形態においても適用できる。
【００３３】
［第３実施形態］
図１６および図１７に示す第３実施形態では、剛性部１４の位置をカメラ取付台１０に対して上下に調整できるようにしたことを特徴としている。剛性部１４は直方体状をなし、カメラ取付台１０の上面に形成された同じ形状の凹部３３にはめ込まれている。この状態で剛性部１４は水平方向にはほとんど動かないが、垂直方向には摺動できる。
【００３４】
凹部３３の底面には、カメラ取付台１０を貫通する雌ネジ孔がそれぞれ形成され、これら雌ネジ孔には調整ネジ３４が締め込まれている。調整ネジ３４をドライバーなどで回すと、剛性部１４が上下に動き、剛性部１４の上面の高さを摩擦部１２の上面に対して微調整することができ、常に最適な摩擦部１２の弾性を得ることができる。調整ネジ３４は各剛性部１４に一本ずつとは限らず、複数設けてもよい。また、場合によっては一部の剛性部１４のみに調整ネジ３４を設けてもよい。さらに、調整ネジ３４によって剛性部１４を動かす代わりに、摩擦部１２を上下動させてもよい。調整ネジ３４を用いた高さ調整機構は、前出したいずれの実施形態にも適用可能である。
【００３５】
［第４実施形態］
図１８および図１９に示す第４実施形態では、剛性部が雄ネジ１４Ａの端面で形成されている。カメラ取付台１０には、雄ネジ部２４に対して対称の位置に雌ネジ孔３６が形成され、これら雌ネジ孔３６は垂直にカメラ取付台１０を貫通している。雌ネジ孔３６のそれぞれに、カメラ取付台１０の下面側から雄ネジ１４Ａが締め込まれている。雄ネジ１４Ａの上端面は水平であり、雄ネジ１４Ａを締め込むと上昇し、緩めると下降する。
【００３６】
雄ネジ１４Ａの材質は限定されないが、カメラＣの下面との当たりが柔らかい金属や、ポリアセタールのように潤滑性に優れた硬質プラスチックなどが好適である。他の構成は前述した実施形態と同じであってもよい。
【００３７】
この実施形態によれば、摩擦部１２の厚さが経時変化しても、雄ネジ１４Ａをドライバーや硬貨を用いて回すことにより、雄ネジ１４Ａの上端面の高さを摩擦部１２に対して微調整することができ、剛性部の効果を微調整することが可能である。また、カメラＣの重量やサイズに応じて、摩擦部１２を厚さや弾性係数が異なるものに変更し、それに応じて剛性部としての雄ネジ１４Ａの高さ調整をすることも可能である。
【００３８】
［第５実施形態］
図２０および図２１に示す第５実施形態では、カメラ取付台１０の上面に矩形状の浅い凹部４４を形成し、この凹部４４内に矩形状の昇降板４０を収容している。凹部４４の底面には、雄ネジ部２４と同心に円環状の溝４６が形成され、この溝４６内にＯリング４２がはめ込まれている。溝４６の深さは、Ｏリング４２の直径よりも小さく、Ｏリング４２は溝４６から突出して昇降板４０の底面に当接している。また、雄ネジ部２４は昇降板４０を貫通して上方へ突出している。
【００３９】
Ｏリング４２はゴムなどから形成された弾性を有するものであり、昇降板４０は一定の弾性を以て昇降可能になっている。昇降板４０の本体は、剛性を有する材質、例えば金属や硬質プラスチックで形成されている。一方、昇降板４０の上面は、カメラ取付台１０の材質よりも柔らかい、摩擦部としての機能を有する材質で形成されている。例えば、昇降板４０の上面には、滑り止め機能に優れた柔らかいフェルト、なめし革、ゴムシート、エラストマー、スポンジ、発泡プラスチックなどのシートが貼り付けられている。
【００４０】
この実施形態では、カメラ取付台１０にカメラＣを載せると、昇降板４０がＯリング４２の弾力で上下動し、カメラＣの底面に柔らかく当たる。昇降板４０の上面はカメラＣとの摩擦の大きい材質で形成されているため、カメラＣは昇降板４０の上面で滑ることなく支持され、傷がつくこともない。
【００４１】
一方、カメラＣの底面に雄ネジ部２４を締め込んだ場合には、雄ネジ部２４の締結力によりＯリング４２が圧縮されて昇降板４０は下方へ移動し、カメラＣの底面はカメラ取付台１０の外周部４７にも当たる。この外周部４７は硬質の材質で形成され、剛性部としてカメラＣを強固に支持するので、カメラＣに振動やぶれが生じることを防止する。雄ネジ部２４を緩めると、カメラＣはＯリング４２の弾力でカメラ取付台１０の外周部４７から離れ、摩擦部としての昇降板４０のみに支持されるため、滑り止め効果が高い。
【００４２】
上記実施形態では、弾性体として１本のＯリング４２を使用していたが、その代わりに２本以上のＯリングを使用してもよいし、波座金、皿バネやコイルバネなどのバネ、スポンジ、各種エラストマーなどを使用して昇降板４０を支える構造としてもよい。また、弾力性を高めるために凹凸構造を有するエラストマーやゴムなども好適である。
【００４３】
［第６実施形態］
図２２および図２３は、本発明の第６実施形態を示す。この実施形態では、カメラ取付台１０の上面に、雄ネジ部２４と同心に浅い円環状の溝５２が形成され、この溝５２内にＯリング５０がはめ込まれている。溝５２の深さはＯリング５０の断面直径よりも小さく、Ｏリング５０の上部は溝５２から突出している。Ｏリング５０は溝５２内に接着剤等により固定されている。
【００４４】
この実施形態によれば、カメラ取付台１０の上面が剛性部、Ｏリング５０が摩擦部として機能する。すなわち、カメラ取付台１０上にカメラＣを載せたときにはＯリング５０が高い摩擦を生じながらカメラＣを支持し、雄ネジ部２４がカメラＣに締め込まれると、Ｏリング５０は圧縮されてカメラＣの底面はカメラ取付台１０の上面に当接して高い剛性を以て支持される。したがって、振動によるぶれなどが生じにくい。一方、雄ネジ部２４を緩めた場合には、Ｏリング５０の弾性力によりカメラＣがカメラ取付台１０から離れ、Ｏリング５０によって高い摩擦が生じるため、雄ネジ部２４を中心にカメラＣが急に回るなどの不具合を防止できる。
【００４５】
この実施形態では、摩擦部を１本のＯリング５０で形成したが、２本以上であってもよいし、雄ネジ部２４と同軸に配置されていなくてもよい。また、Ｏリング５０の代わりに、弾力性を高めるための凹凸構造を有するゴムやエラストマーなども使用できる。
【００４６】
［第７実施形態］
図２４および図２５は、本発明の第７実施形態を示している。この実施形態は、本発明を自由雲台に適用した例である。この自由雲台は、球形のボール部６０を有し、このボール部６０には、円柱状の首部６２を介して円盤状のカメラ取付台６４が取り付けられている。これらボール部６０、首部６２、およびカメラ取付台６４はともに同心をなしている。カメラ取付台６４には垂直かつ同心に雄ネジ部６６が取り付けられ、カメラ取付台６４と雄ネジ部６６は相互に固定され、首部６２に対してともに回転不能にされている。したがって、カメラ取付台６４を回すことにより、ボール６０と共に雄ネジ部６６も回り図示しないカメラに締め込むことができる。
【００４７】
カメラ取付台６４の上面には、同軸に浅い円形の凹部が形成され、この凹部内に剛性体からなる円板６８が収容されている。円板６８の厚さは前記凹部の深さよりも大きく、円板６８の上部はカメラ取付台６４から一定幅に亘って突出している。雄ネジ部６６は円板６８を貫通し、雄ネジ部６６の直下に固定されたワッシャ７０により、円板６８がカメラ取付台６４から脱落しないようにされている。ボール部６０は、図示しないボール支持機構によってボール中心回りに回動可能かつ任意の角度で固定可能に支持される。
【００４８】
円板６８の上面には、雄ネジ部６６と同心に円環状の浅い円環状の溝７４が形成され、この溝７４内にＯリング７２がはめ込まれている。溝７４の深さはＯリング７２の断面直径よりも小さく、Ｏリング７２の上部は溝７４から突出している。Ｏリング７２は溝７４内に接着剤等により固定されている。
【００４９】
カメラ取付台６４の下面には一ケ所、雄ネジ７６が締め込まれ、この雄ネジ７６を回転することにより、カメラ取付台６４と円板６８の相対回転抵抗が調整できる。雄ネジ７６は硬貨などにより容易に回転できる。これにより、操作者が好みに合わせて、雄ネジ部６６をカメラに締め込む際における円板６８の回転抵抗を最適化することができ、カメラ着脱作業の効率化が図れる。
【００５０】
この実施形態によれば、円板６８の上面が剛性部、Ｏリング７２が摩擦部として機能する。すなわち、カメラ取付台６４上にカメラを載せたときにはＯリング７２が高い摩擦を生じながらカメラを支持する。雄ネジ部６６がカメラに締め込まれると、円板６８はカメラ取付台６４に対して強固に固定されるとともに、Ｏリング７２は圧縮され、カメラの底面は円板６８の上面に当接して高い剛性で支持される。したがって、カメラには振動によるぶれなどが生じにくい。一方、雄ネジ部６６を緩めた場合には、Ｏリング７２の弾性力によりカメラが円板６８から離れ、Ｏリング７２によって高い摩擦が生じるため、雄ネジ部６６を中心にカメラが急に回るなどの不具合を防止できる。
【００５１】
円板６８の下面に断面鋸歯状の微細な凹凸を形成しておいてもよい。この場合さらに、雄ネジ７６の先端に鋸歯状の凹凸を形成し、円板６８の凹凸とラチェット状に噛み合うようにしてもよい。こうすれば、円板６８の回転抵抗を調整しやすくなる。
【００５２】
［第８実施形態］
図２６および図２７は、本発明の第８実施形態を示す。この例では、摩擦部１２内に剛性部８０が埋め込まれていることを特徴とする。剛性部８０は雄ネジ部２４に対して対称となる位置に一対設けられている。剛性部８０は直方体状をなし、カメラ取付台１０に固定されているか、カメラ取付台１０の上面に一体形成されている。剛性部８０は金属や硬質プラスチックなどの堅い材質からなる。
【００５３】
摩擦部１２は先に説明したような柔らかい材質からなる。摩擦部１２の裏面側には、直方体状の凹部が形成され、これら凹部にそれぞれ剛性部８０がほぼ隙間無く収容されている。摩擦部１２の剛性部８０と対応する箇所は薄肉部１２ｅとされており、剛性部８０は直接カメラと接することなく、この薄肉部１２ｅを介してカメラを支持する。薄肉部１２ｅの厚さは、摩擦部１２の厚さの１０〜３０％程度であると好ましいが、この範囲に限定されない。
【００５４】
この実施形態によれば、カメラをカメラ取付台１０に載せたときには、摩擦部１２が柔らかくカメラ底面に当たり、高い摩擦力を以てカメラを支持する。雄ネジ部２４をカメラに締め込むと、薄肉部１２ｅはつぶれて堅くなり、実質的に剛性部８０と一体化して剛性部としてカメラを支持する。したがって、カメラに振動やぶれが生じにくい。雄ネジ部２４を緩めたときには、薄肉部１２ｅは柔らかく復帰し、摩擦部１２の他の部分とともに高い摩擦力を生じつつカメラを支持するため、カメラが雄ネジ部２４を中心に急に回るなどの不具合が防止できる。
【００５５】
なお、この実施形態においても、前述した各実施形態と同様に、摩擦部１２および剛性部８０の形状や材質などについて、さまざまな変形が可能である。
【００５６】
［第９実施形態］
本発明は雲台への適用に限定されない。雲台に固定される光学機器側、すなわちカメラ、望遠鏡、望遠レンズ、双眼鏡などの被固定部に適用することも可能である。カメラへ本発明を適用した例を図２８および図２９に示す。
【００５７】
この実施形態では、レンズ９２を有するカメラ本体９０の下面に摩擦部１２が固定され、剛性部１４が摩擦部１２を貫通して配置されている。すなわち、第１実施形態のカメラ取付台１０を、カメラ本体９０に置き換えた構造をとっている。各部の構成は第１実施形態と同じでよい。雲台取付穴９４は、摩擦部１２を貫通して形成されている。
【００５８】
この実施形態のカメラは、例えば通常の雲台に固定してもよいが、より好ましくは、カメラ支持面から柔らかいシートを取り外した雲台と組み合わせて使用される。雲台のカメラ支持面にカメラ本体９０を載せると、まず摩擦部１２が柔らかくカメラ支持面に当接して高い滑り止め効果を発揮する。次に雲台取付穴９４へ雲台の雄ネジ部を締め込むと、摩擦部１２が圧縮されて剛性部１４が雲台のカメラ支持面に当接し、カメラ本体９０は高い剛性で支持される。したがって、カメラに振動やぶれが生じにくい。
【００５９】
カメラ本体９０の底面に、第２〜第８実施形態の構造を適用してもよいことはもちろんである。また、カメラ本体９０の代わりに、望遠鏡、望遠レンズ、双眼鏡などの被固定部に適用してもよい。
【００６０】
［第１０実施形態］
本発明は、カメラ等の光学機器と、雲台との間に装着されるカメラ取付装置（いわゆるクイックシューを含む）に適用することも可能である。図３０および図３１は、この種のカメラ取付装置に本発明を適用した例を示す。
【００６１】
このカメラ取付装置は、カメラＣに予め取り付けておく着脱部１０２と、雲台に予め取り付けておく本体１００とを有する。着脱部１０２は、全体として矩形状をなし、中央部を貫通するカメラ取付ネジ１０８を有し、カメラ取付ネジ１０８がカメラＣの底面の雌ネジ部に締め込まれることにより、カメラＣに固定される。本体１００には、下面に図示しない雌ネジ穴が形成され、この雌ネジ穴に雲台のカメラ取付ネジが締め込まれることにより、雲台に固定される。
【００６２】
着脱部１０２は、堅い材質からなる下体１０２Ａと、前述した摩擦部１２と同様の材質からなる摩擦部１１０とを有し、摩擦部１１０は下体１０２Ａの上面全体に貼り付けられている。着脱部１０２は、本体１００の凹部に収容することができ、この状態で本体１００に設けられたレバー１０４を操作することにより、下体１０２Ａの外周がレバー１０４の固定端１０４Ａに挟まれて固定されるようになっている。レバー１０４を逆に回動させれば、固定端１０４Ａは下体１０２Ａから離れて、着脱部１０２は本体１００から分離できるようになる。
【００６３】
摩擦部１１０の、カメラＣを取り付けたときの厚さは、本体１００の内底面から周壁部１０６の上端までの高さから、下体１０２Ａの厚さを引いた値とほぼ同じに設定されている。着脱部１０２を本体１００へ入れ、レバー１０４を操作すると、下体１０２Ａが本体１００へ向けて押圧されるため、周壁部１０６の上端がカメラＣへ当たり、カメラＣを高い剛性をもって支持する。したがって、カメラＣに振動やぶれが生じにくい。さらに、摩擦部１１０が摩擦力を生じるためカメラＣの急な回動を防止できる。
【００６４】
上記実施形態では着脱部１０２の上面に摩擦部１１０を貼付していたが、そのかわりに着脱部は剛性部とし、周壁部１０６の上面に摩擦部１１０を貼付してもよい。
【００６５】
また、第１０実施形態では着脱部１０２の上面に摩擦部１１０を貼付していたが、その代わりに、図３２に示すように、着脱部１０２の全体を堅い材質で形成するとともに、着脱部１０２を貫通する円形の貫通孔１１２を複数形成し、これら貫通孔１１２内に弾性体からなる円柱状の摩擦部１１４をそれぞれ挿入した構造としてもよい。摩擦部１１４の上端および下端は丸められており、着脱部１０２の上面および下面から突出させておく。この構成によっても、第１０実施形態と同様の効果が得られる。
【００６６】
以上、さまざまな実施形態を説明したが、本発明はこれらの実施形態に限定されず、各実施形態の構成を相互に組み合わせたり、従来周知の構成を付加してもよいことはもちろんである。
【００６７】
【発明の効果】
本発明の光学機器の取付装置によれば、光学機器取付部に光学機器を載せると、光学機器の被取付面は剛性部に当たらず摩擦部に当たり、摩擦部との間で大きな摩擦を生じる。このため、光学機器が光学機器取付部上で滑ることがなく、締結機構による固定作業が行いやすい。一方、締結機構を作動させると、摩擦部が圧縮されて光学機器の被取付面が剛性部に面接触し、これら剛性部によって堅く支持されるため、光学性能を低下させるぶれや振動を抑制することができる。
【００６８】
本発明の光学機器においても、同様の効果が得られる。
【図面の簡単な説明】
【図１】本発明に係る光学機器の取付装置として雲台の第１実施形態を示す平面図である。
【図２】第１実施形態の正面図である。
【図３】第１実施形態の摩擦部と剛性部の断面拡大図である。
【図４】摩擦部と剛性部の作用を示す断面拡大図である。
【図５】剛性部の配置を変えた実施形態を示す平面図である。
【図６】剛性部の配置を変えた実施形態を示す平面図である。
【図７】剛性部の配置を変えた実施形態を示す平面図である。
【図８】剛性部の配置を変えた実施形態を示す平面図である。
【図９】剛性部の配置を変えた実施形態を示す平面図である。
【図１０】剛性部の配置を変えた実施形態を示す平面図である。
【図１１】本発明の第２実施形態を示す平面図である。
【図１２】本発明の第２実施形態を示す正面図である。
【図１３】第２実施形態の摩擦部と剛性部の断面拡大図である。
【図１４】摩擦部と剛性部の作用を示す断面拡大図である。
【図１５】摩擦部と剛性部の作用を示す断面拡大図である。
【図１６】本発明の他の実施形態を示す平面図である。
【図１７】本発明の他の実施形態を示す正面図である。
【図１８】本発明の他の実施形態を示す平面図である。
【図１９】本発明の他の実施形態を示す正面図である。
【図２０】本発明の他の実施形態を示す平面図である。
【図２１】本発明の他の実施形態を示す正面図である。
【図２２】本発明の他の実施形態を示す平面図である。
【図２３】本発明の他の実施形態を示す正面図である。
【図２４】本発明の他の実施形態を示す平面図である。
【図２５】本発明の他の実施形態を示す正面図である。
【図２６】本発明の他の実施形態を示す平面図である。
【図２７】本発明の他の実施形態を示す正面図である。
【図２８】本発明の他の実施形態を示す正面図である。
【図２９】本発明の他の実施形態を示す底面図である。
【図３０】本発明の他の実施形態を示す平面図である。
【図３１】本発明の他の実施形態を示す断面図である。
【図３２】本発明の他の実施形態を示す断面図である。
【符号の説明】
１  基台
２  三脚固定部
４  雄ネジ
１０  カメラ取付台（光学機器取付部）
１２  摩擦部
１４  剛性部
２４  雄ネジ部（締結機構）
Ｃ  カメラ（光学機器）
１２Ｃ  厚肉部
１２Ｄ  薄肉部
３２  凸部
３４  調整ネジ
１４Ａ  雄ネジ（剛性部）
４０  昇降板（摩擦部）
４２  Ｏリング
４７  外周部（剛性部）
５０  Ｏリング（摩擦部）
７２  Ｏリング（摩擦部）
７６  雄ネジ
１２ｅ  薄肉部（剛性部）
８０  剛性部
９０  カメラ本体
１００  本体
１０２  着脱部
１１０  摩擦部
１０６  周壁部（剛性部）
【図１】
2005018005.tif 000003
【図２】
2005018005.tif 000004
【図３】
2005018005.tif 000005
【図４】
2005018005.tif 000006
【図５】
2005018005.tif 000007
【図６】
2005018005.tif 000008
【図７】
2005018005.tif 000009
【図８】
2005018005.tif 000010
【図９】
2005018005.tif 000011
【図１０】
2005018005.tif 000012
【図１１】
2005018005.tif 000013
【図１２】
2005018005.tif 000014
【図１３】
2005018005.tif 000015
【図１４】
2005018005.tif 000016
【図１５】
2005018005.tif 000017
【図１６】
2005018005.tif 000018
【図１７】
2005018005.tif 000019
【図１８】
2005018005.tif 000020
【図１９】
2005018005.tif 000021
【図２０】
2005018005.tif 000022
【図２１】
2005018005.tif 000023
【図２２】
2005018005.tif 000024
【図２３】
2005018005.tif 000025
【図２４】
2005018005.tif 000026
【図２５】
2005018005.tif 000027
【図２６】
2005018005.tif 000028
【図２７】
2005018005.tif 000029
【図２８】
2005018005.tif 000030
【図２９】
2005018005.tif 000031
【図３０】
2005018005.tif 000032
【図３１】
2005018005.tif 000033
【図３２】
2005018005.tif 000034